(57)【特許請求の範囲】
【請求項１】
下部走行体上に上部旋回体が旋回自在に搭載され、該上部旋回体の運転スペースの車両前方がフロントガードで覆われた建設機械のフロントガード構造であって、
前記運転スペースの車幅方向に間隔をあけて立設され、前記フロントガードを取り付ける取付座が設けられた一対の支柱を備え、
前記フロントガードの外周部を構成するガード枠は、正面視で前記支柱に重なり合うように配設されて前記取付座に取り付けられ、
前記フロントガードの前記ガード枠における前記運転スペースの乗降側の側縁部には、正面視で前記支柱の一部が露出するように窪むことで、該支柱の露出部分を該運転スペースに乗降する際の手摺りとして利用可能とするための窪み部が設けられていることを特徴とする建設機械のフロントガード構造。
【請求項２】
請求項１において、
前記フロントガードは、前記運転スペースの上部位置を覆う上側フロントガードと、該上側フロントガードよりも下方に配設されて該運転スペースの下部位置を覆う下側フロントガードとに分割されており、
前記窪み部は、前記上側フロントガード及び前記下側フロントガードの少なくとも一方に設けられていることを特徴とする建設機械のフロントガード構造。
【請求項３】
請求項２において、
前記上側フロントガードの下端部と前記下側フロントガードの上端部とを連結する連結部材を備えたことを特徴とする建設機械のフロントガード構造。
【請求項４】
請求項３において、
前記連結部材は、車幅方向に延びて前記上側フロントガードと前記下側フロントガードとの隙間を覆う補強部材と、該補強部材を該上側フロントガード及び該下側フロントガードに締結する締結部材とを有することを特徴とする建設機械のフロントガード構造。
【請求項５】
請求項４において、
前記上側フロントガードは、上側ガード枠と、該上側ガード枠の枠内に張られた上側網体とを有し、
前記下側フロントガードは、下側ガード枠と、該下側ガード枠の枠内に張られた下側網体とを有し、
前記補強部材は、前記上側ガード枠の下縁部及び前記下側ガード枠の上縁部に沿って車幅方向に延び、その両端部には、該上側ガード枠の側縁部及び該下側ガード枠の側縁部の少なくとも一方に沿って延びる延長部が設けられ、
前記延長部は、前記締結部材によって前記上側ガード枠及び前記下側ガード枠の少なくとも一方に締結されていることを特徴とする建設機械のフロントガード構造。
【請求項６】
請求項３において、
前記上側フロントガードの下端部には、前記運転スペース側に張り出す上側フランジ部が設けられ、
前記下側フロントガードの上端部には、前記運転スペース側に張り出す下側フランジ部が設けられ、
前記連結部材は、前記上側フランジ部及び前記下側フランジ部を締結する締結部材を有することを特徴とする建設機械のフロントガード構造。
【請求項７】
下部走行体上に上部旋回体が旋回自在に搭載され、該上部旋回体の運転スペースの車両前方がフロントガードで覆われた建設機械のフロントガード構造であって、
前記フロントガードは、前記運転スペースの上部位置を覆う上側フロントガードと、該上側フロントガードよりも下方に配設されて該運転スペースの下部位置を覆う下側フロントガードとに分割されており、
前記運転スペースの車幅方向に間隔をあけて立設され、前記フロントガードを取り付ける取付座が設けられた一対の支柱と、
前記上側フロントガードの下端部と前記下側フロントガードの上端部とを連結する連結部材とを備え、
前記フロントガードにおける前記運転スペースの乗降側の側縁部には、正面視で前記支柱の一部が露出するように窪んだ窪み部が設けられ、
前記窪み部は、前記上側フロントガード及び前記下側フロントガードの少なくとも一方に設けられ、
前記上側フロントガードは、上側ガード枠と、該上側ガード枠の枠内に張られた上側網体とを有し、
前記下側フロントガードは、下側ガード枠と、該下側ガード枠の枠内に張られた下側網体とを有し、
前記連結部材は、前記上側網体の網目を通って前記上側ガード枠の内周縁部に係合する上側係合爪と、前記下側網体の網目を通って前記下側ガード枠の内周縁部に係合する下側係合爪と、該上側係合爪及び該下側係合爪を締結する締結部材とを有することを特徴とする建設機械のフロントガード構造。
【発明の詳細な説明】
【技術分野】
【０００１】
本発明は、建設機械のフロントガード構造に関するものである。
【背景技術】
【０００２】
従来より、運転席の前方に配設されて運転席を保護するフロントガードを備えた建設機械が知られている（例えば、特許文献１参照）。
【０００３】
特許文献１には、運転席に着座したオペレータが前方を視認可能な透明の保護プレートと、保護プレートの外周縁を囲む保護フレームとを有するフロントガードが記載されている。そして、保護フレームを構成する左側フレームの上部位置に、オペレータが乗降時に把持するための把手が設けられている。
【先行技術文献】
【特許文献】
【０００４】
【特許文献１】特開２０１０−３７８１７号公報
【発明の概要】
【発明が解決しようとする課題】
【０００５】
ところで、小旋回型の建設機械において、フロントガードの側縁部に把手を別途取り付ける場合には、把手が上部旋回体よりも車幅方向に突出しないように、把手の位置を基準としてフロントガードの幅を狭くする必要がある。そのため、フロントガードの保護面積が小さくなってしまうという問題がある。
【０００６】
本発明は、かかる点に鑑みてなされたものであり、その目的は、小旋回型の建設機械であっても、フロントガードの保護面積を十分に確保しつつ手摺りを設けることができるようにすることにある。
【課題を解決するための手段】
【０００７】
本発明は、下部走行体上に上部旋回体が旋回自在に搭載され、該上部旋回体の運転スペースの車両前方がフロントガードで覆われた建設機械のフロントガード構造を対象とし、次のような解決手段を講じた。
【０００８】
すなわち、第１の発明は、前記運転スペースの車幅方向に間隔をあけて立設され、前記フロントガードを取り付ける取付座が設けられた一対の支柱を備え、
前記フロントガードの外周部を構成するガード枠は、正面視で前記支柱に重なり合うように配設されて前記取付座に取り付けられ、
前記フロントガードの前記ガード枠における前記運転スペースの乗降側の側縁部には、正面視で前記支柱の一部が露出するように窪むことで、該支柱の露出部分を該運転スペースに乗降する際の手摺りとして利用可能とするための窪み部が設けられていることを特徴とするものである。
【０００９】
第１の発明では、フロントガードのガード枠に窪み部が設けられることで、乗降側の支柱の一部が露出している。これにより、作業者が運転スペースに乗降する際の手摺りとして、支柱の露出部分を利用することができる。そのため、手摺りを別途用意する必要が無く、小旋回型の建設機械であっても、一対の支柱に跨がるようにフロントガードの幅を広く設定して、フロントガードの保護面積を十分に確保することができる。
【００１０】
第２の発明は、第１の発明において、
前記フロントガードは、前記運転スペースの上部位置を覆う上側フロントガードと、該上側フロントガードよりも下方に配設されて該運転スペースの下部位置を覆う下側フロントガードとに分割されており、
前記窪み部は、前記上側フロントガード及び前記下側フロントガードの少なくとも一方に設けられていることを特徴とするものである。
【００１１】
第２の発明では、上側フロントガード又は下側フロントガードの一方に窪み部を設けてもよいし、上側フロントガード及び下側フロントガードの両方に窪み部を設けてもよい。ここで、上側フロントガード及び下側フロントガードの両方に窪み部を設ける場合には、上側フロントガードの乗降側の下側角部を窪ませるとともに下側フロントガードの乗降側の上側角部を窪ませることで、上側フロントガード及び下側フロントガードにわたって連続して窪んだ形状とすればよい。
【００１２】
第３の発明は、第２の発明において、
前記上側フロントガードの下端部と前記下側フロントガードの上端部とを連結する連結部材を備えたことを特徴とするものである。
【００１３】
第３の発明では、上側フロントガードの下端部と下側フロントガードの上端部とが連結部材によって連結されているから、フロントガード全体の強度を確保することができる。また、車体の振動がフロントガードに伝わっても、上側フロントガードと下側フロントガードとの隙間が開いたり閉じたりしないため、振動を抑えることができる。
【００１４】
第４の発明は、第３の発明において、
前記連結部材は、車幅方向に延びて前記上側フロントガードと前記下側フロントガードとの隙間を覆う補強部材と、該補強部材を該上側フロントガード及び該下側フロントガードに締結する締結部材とを有することを特徴とするものである。
【００１５】
第４の発明では、上側フロントガードと下側フロントガードとの隙間を補強部材で塞ぐとともに、補強部材を上側フロントガード及び下側フロントガードに締結部材で締結している。これにより、上側フロントガード及び下側フロントガードを補強して、フロントガード全体の強度を確保することができる。
【００１６】
第５の発明は、第４の発明において、
前記上側フロントガードは、上側ガード枠と、該上側ガード枠の枠内に張られた上側網体とを有し、
前記下側フロントガードは、下側ガード枠と、該下側ガード枠の枠内に張られた下側網体とを有し、
前記補強部材は、前記上側ガード枠の下縁部及び前記下側ガード枠の上縁部に沿って車幅方向に延び、その両端部には、該上側ガード枠の側縁部及び該下側ガード枠の側縁部の少なくとも一方に沿って延びる延長部が設けられ、
前記延長部は、前記締結部材によって前記上側ガード枠及び前記下側ガード枠の少なくとも一方に締結されていることを特徴とするものである。
【００１７】
第５の発明では、補強部材の車幅方向の両端部に延長部が設けられる。延長部は、上側ガード枠の側縁部及び下側ガード枠の側縁部の少なくとも一方に沿って延び、締結部材によって締結される。これにより、補強部材を締結部材で締結するのにあたって、延長部を設けた分だけ、締結部材の取付間隔を広げることができる。その結果、上側フロントガード及び下側フロントガードの振動やねじれを抑えることができる。
【００１８】
また、上側フロントガード及び下側フロントガードの振動を抑えることで、上側網体や下側網体が振れにくくなるので、作業者の視界が遮られてしまうことも無い。
【００１９】
第６の発明は、第３の発明において、
前記上側フロントガードの下端部には、前記運転スペース側に張り出す上側フランジ部が設けられ、
前記下側フロントガードの上端部には、前記運転スペース側に張り出す下側フランジ部が設けられ、
前記連結部材は、前記上側フランジ部及び前記下側フランジ部を締結する締結部材を有することを特徴とするものである。
【００２０】
第６の発明では、上側フロントガード及び下側フロントガードにそれぞれ上側フランジ部及び下側フランジ部が設けられ、上側フランジ部及び下側フランジ部が締結部材で締結される。これにより、車体の振動がフロントガードに伝わっても、上側フロントガードと下側フロントガードとの隙間が開いたり閉じたりしないため、振動を抑えることができる。
【００２１】
第７の発明は、下部走行体上に上部旋回体が旋回自在に搭載され、該上部旋回体の運転スペースの車両前方がフロントガードで覆われた建設機械のフロントガード構造であって、
前記フロントガードは、前記運転スペースの上部位置を覆う上側フロントガードと、該上側フロントガードよりも下方に配設されて該運転スペースの下部位置を覆う下側フロントガードとに分割されており、
前記運転スペースの車幅方向に間隔をあけて立設され、前記フロントガードを取り付ける取付座が設けられた一対の支柱と、
前記上側フロントガードの下端部と前記下側フロントガードの上端部とを連結する連結部材とを備え、
前記フロントガードにおける前記運転スペースの乗降側の側縁部には、正面視で前記支柱の一部が露出するように窪んだ窪み部が設けられ、
前記窪み部は、前記上側フロントガード及び前記下側フロントガードの少なくとも一方に設けられ、
前記上側フロントガードは、上側ガード枠と、該上側ガード枠の枠内に張られた上側網体とを有し、
前記下側フロントガードは、下側ガード枠と、該下側ガード枠の枠内に張られた下側網体とを有し、
前記連結部材は、前記上側網体の網目を通って前記上側ガード枠の内周縁部に係合する上側係合爪と、前記下側網体の網目を通って前記下側ガード枠の内周縁部に係合する下側係合爪と、該上側係合爪及び該下側係合爪を締結する締結部材とを有することを特徴とするものである。
【００２２】
第７の発明では、上側ガード枠の内周縁部には、上側係合爪が係合される。下側ガード枠の内周縁部には、下側係合爪が係合される。上側係合爪及び下側係合爪は、締結部材で締結される。これにより、車体の振動がフロントガードに伝わっても、上側フロントガードと下側フロントガードとの隙間が開いたり閉じたりしないため、振動を抑えることができる。
【発明の効果】
【００２３】
本発明によれば、フロントガードに窪み部を設けることで、乗降側の支柱の一部を露出させているので、作業者が運転スペースに乗降する際の手摺りとして、支柱の露出部分を利用することができる。
【図面の簡単な説明】
【００２４】
【図１】本実施形態１に係る建設機械の構成を示す側面図である。
【図２】フロントガードを取り外した状態の上部旋回体の構成を示す斜視図である。
【図３】フロントガードを取り付けた状態の上部旋回体の構成を示す斜視図である。
【図４】フロントガード構造を示す正面図である。
【図５】フロントガード構造を示す背面図である。
【図６】本実施形態２に係るフロントガード構造を示す側面断面図である。
【図７】本実施形態３に係るフロントガード構造を示す側面断面図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。各図には、上下や前後左右の方向を矢印で示してある。特に言及しない限り、上下等の方向についてはこれら矢印で示す方向に従って説明する。
【００２６】
《実施形態１》
図１に示すように、建設機械１０は、クローラ式の下部走行体１１と、下部走行体１１上に旋回自在に搭載された上部旋回体１２とを備えている。なお、本実施形態の建設機械１０は小旋回型であり、旋回半径が小さくなるように、上部旋回体１２は相対的に小さく構成され、上部旋回体１２の後部の外郭線は、平面視で円弧状に形成されている。
【００２７】
上部旋回体１２の前側には、アタッチメント１３が設置されている。アタッチメント１３は、ブーム１４、アーム１５、及びバケット１６等で構成されている。ブーム１４等のそれぞれは、油圧制御された油圧シリンダ１７の伸縮に連動して動作し、掘削等の作業を行う。
【００２８】
ブーム１４は、リアブーム１４ａと、フロントブーム１４ｂと、アッパーブーム１４ｃとを有する。フロントブーム１４ｂは、図示しないオフセットシリンダを伸縮させることによって左右方向に回動する。これにより、アッパーブーム１４ｃは、リアブーム１４ａに対して左右方向にオフセットした位置に移動する。
【００２９】
図２にも示すように、上部旋回体１２には、運転シート２１や操作レバー２２等を配置するための運転スペースＳが設けられている。運転シート２１の右方には、図示しない油圧機器やタンク類を収納するための機械室が設けられ、機械室カバー２５によって覆われている。また、運転シート２１の後方には、図示しないエンジンを収納するためのエンジン室が設けられ、エンジンカバー２６によって覆われている。運転スペースＳの左側前方は、作業者が運転シート２１に乗降するための乗降口として開放されている。
【００３０】
運転シート２１の左右両側には、操作レバー２２が設けられている。操作レバー２２を操作することにより、油圧シリンダ１７を伸縮動作させてアタッチメント１３を駆動させることができる。
【００３１】
運転シート２１の前方には、上部旋回体１２のフロア面Ｆから上方に延びる走行レバー２３が設けられている。走行レバー２３を操作することにより、下部走行体１１を前進又は後退させることができる。
【００３２】
運転シート２１の前方の足元には、オフセットペダル２４が設けられている。ここで、作業者がオフセットペダル２４を左右に傾けるように踏み込むと、図示しないオフセットシリンダが伸縮して、フロントブーム１４ｂが左右方向に回動する。これにより、バケット１６を左右方向にオフセットした位置に移動させることができる。
【００３３】
運転シート２１の前方には、運転スペースＳのフロア面Ｆから上方に延びる左右一対の前側支柱３１が設けられている。運転シート２１の後方には、エンジンカバー２６の上面から上方に延びる左右一対の後側支柱３５が設けられている。
【００３４】
右側の前側支柱３１の上端部と、右側の後側支柱３５の上端部とは、ルーフ梁３６によって連結されている。ルーフ梁３６は、運転スペースＳの上方を囲むように左方に張り出している。ルーフ梁３６には、運転スペースＳの上方を覆うルーフパネル３７が取り付けられている。
【００３５】
左側の前側支柱３１は、ルーフ梁３６の左側前部を支持している。左側の後側支柱３５は、ルーフ梁３６の左側後部を支持している。
【００３６】
前側支柱３１には、上下方向に間隔をあけて複数の取付座３３が設けられている。取付座３３は、後述するフロントガード４０を取り付けるためのものであり、締結ボルト５５を締結させるネジ孔が形成されている。
【００３７】
以下、運転スペースＳの前側を覆うフロントガード構造について説明する。図３〜図５に示すように、運転シート２１の前方には、走行レバー２３の可動範囲よりも前側にフロントガード４０が配設されている。
【００３８】
フロントガード４０は、運転スペースＳの上部位置を覆う上側フロントガード４１と、上側フロントガード４１よりも下方に配設されて運転スペースＳの下部位置を覆う下側フロントガード４５とに分割されている。
【００３９】
上側フロントガード４１は、上側ガード枠４２と、上側ガード枠４２の枠内に張られた上側網体４３とを有する。上側網体４３は、例えば、金網等で形成されており、作業者が上側網体４３の網目を通して前方を視認可能となっている。上側網体４３の外周縁部は、上側ガード枠４２の内周縁部に接合されている。
【００４０】
上側ガード枠４２には、取付座３３のネジ孔に対応して貫通孔４２ａが形成されている。具体的に、上側ガード枠４２の左側縁部には、上下方向に間隔をあけて３つの貫通孔４２ａが形成されている。上側ガード枠４２の右側縁部には、上下方向に間隔をあけて３つの貫通孔４２ａが形成されている。
【００４１】
上側フロントガード４１は、締結ボルト５５を貫通孔４２ａに差し込んで取付座３３にネジ止めすることで、前側支柱３１に取り付けられている。
【００４２】
下側フロントガード４５は、下側ガード枠４６と、下側ガード枠４６の枠内に張られた下側網体４７とを有する。下側網体４７は、例えば、金網等で形成されており、作業者が下側網体４７の網目を通して前方を視認可能となっている。下側網体４７の外周縁部は、下側ガード枠４６の内周縁部に接合されている。
【００４３】
下側ガード枠４６には、その枠内を左右方向に横切って延びる横梁部４８が一体形成されている。横梁部４８の運転スペースＳ側の面には、走行レバー２３を挟んで左右に配設された一対の足置部材６０が設けられている。
【００４４】
下側ガード枠４６には、取付座３３のネジ孔に対応して貫通孔４６ａが形成されている。具体的に、下側ガード枠４６の左側縁部には、上下方向に間隔をあけて３つの貫通孔４６ａが形成されている。ここで、左側の前側支柱３１は、下端部が右方に折り曲げられた形状となっているため、下側ガード枠４６の左側縁部の一番下の貫通孔４６ａは、前側支柱３１の折り曲げ形状に対応して、他の貫通孔４６ａよりも右側にシフトした位置に形成されている。下側ガード枠４６の右側縁部には、上下方向に間隔をあけて２つの貫通孔４６ａが形成されている。
【００４５】
下側フロントガード４５は、締結ボルト５５を貫通孔４６ａに差し込んで取付座３３にネジ止めすることで、前側支柱３１に取り付けられている。
【００４６】
上側フロントガード４１の下端部と下側フロントガード４５の上端部とは、連結部材５０によって連結されている。具体的に、連結部材５０は、左右方向に延びて上側フロントガード４１と下側フロントガード４５との隙間を覆う補強部材としての補強プレート５１と、補強プレート５１を上側フロントガード４１及び下側フロントガード４５に締結する締結部材としての締結ボルト５５及び締結ナット５６とを有する。
【００４７】
補強プレート５１は、上側ガード枠４２の下縁部及び下側ガード枠４６の上縁部に沿って左右方向に延び、その両端部には、下側ガード枠４６の側縁部に沿って下方に延びる延長部５２が設けられている。
【００４８】
補強プレート５１の上端側には、左右方向に間隔をあけて３つの貫通孔５１ａが形成されている。補強プレート５１の下端側には、左右方向の中央位置に貫通孔５１ａが形成されている。延長部５２には、下方に開口する切欠き孔５２ａが形成されている。
【００４９】
上側ガード枠４２の下縁部及び下側ガード枠４６の上縁部における運転スペースＳ側の面には、補強プレート５１の貫通孔５１ａ及び延長部５２の切欠き孔５２ａに対応する位置に締結ナット５６が溶接されている。
【００５０】
補強プレート５１は、貫通孔５１ａ及び切欠き孔５２ａに締結ボルト５５を差し込んで締結ナット５６にネジ止めすることで、上側フロントガード４１及び下側フロントガード４５に取り付けられている。
【００５１】
このような構成とすれば、上側フロントガード４１の下端部と下側フロントガード４５上端部とが補強プレート５１によって連結されるから、フロントガード４０全体の強度を確保することができる。また、上部旋回体１２の振動がフロントガード４０に伝わっても、上側フロントガード４１と下側フロントガード４５との隙間が開いたり閉じたりしないため、振動を抑えることができる。
【００５２】
上側フロントガード４１及び下側フロントガード４５における運転スペースＳの乗降側の側縁部には、正面視で前側支柱３１の一部が露出するように窪んだ窪み部４２ｂ，４６ｂが設けられている。
【００５３】
具体的に、上側ガード枠４２には、左下の角部を窪ませることで窪み部４２ｂが設けられている。下側ガード枠４６には、左上の角部を窪ませることで窪み部４６ｂが形成されている。これにより、窪み部４２ｂ，４６ｂは、上側ガード枠４２及び下側ガード枠４６にわたって連続して窪んだ形状となる。
【００５４】
このような構成とすれば、作業者が運転スペースＳに乗降する際の手摺りとして、前側支柱３１の露出部分を利用することができる。そのため、手摺りを別途用意する必要が無く、小旋回型の建設機械１０においてフロントガード４０の保護面積を広く確保することができる。
【００５５】
《実施形態２》
図６は、本実施形態２に係るフロントガード構造を示す側面断面図である。以下、前記実施形態１と同じ部分については同じ符号を付し、相違点についてのみ説明する。
【００５６】
図６に示すように、上側フロントガード４１は、上側ガード枠４２と、上側ガード枠４２の枠内に張られた上側網体４３とを有する。上側ガード枠４２の下端部には、運転スペースＳ側に張り出す上側フランジ部４４が設けられている。上側フランジ部４４には、貫通孔４４ａが形成されている。
【００５７】
下側フロントガード４５は、下側ガード枠４６と、下側ガード枠４６の枠内に張られた下側網体４７とを有する。下側ガード枠４６の上端部には、運転スペースＳ側に張り出す下側フランジ部４９が設けられている。下側フランジ部４９には、貫通孔４９ａが形成されている。
【００５８】
上側フロントガード４１の下端部と下側フロントガード４５の上端部とは、連結部材５０によって連結されている。具体的に、連結部材５０は、締結部材としての締結ボルト５５及び締結ナット５６である。そして、上側フランジ部４４と下側フランジ部４９とを当接させた状態で、締結ボルト５５を貫通孔４４ａ，４９ａに差し込んで締結ナット５６に締結させることで、上側フランジ部４４と下側フランジ部４９が共締めされる。
【００５９】
これにより、上側フロントガード４１と下側フロントガード４５との隙間が開くのを抑えることができる。
【００６０】
《実施形態３》
図７は、本実施形態３に係るフロントガード構造を示す側面断面図である。以下、前記実施形態２と同じ部分については同じ符号を付し、相違点についてのみ説明する。
【００６１】
図７に示すように、上側フロントガード４１は、上側ガード枠４２と、上側ガード枠４２の枠内に張られた上側網体４３とを有する。上側ガード枠４２の下端部には、運転スペースＳ側に張り出す上側フランジ部４４が設けられている。
【００６２】
下側フロントガード４５は、下側ガード枠４６と、下側ガード枠４６の枠内に張られた下側網体４７とを有する。下側ガード枠４６の上端部には、運転スペースＳ側に張り出す下側フランジ部４９が設けられている。
【００６３】
上側フロントガード４１の下端部と下側フロントガード４５の上端部とは、連結部材５０によって連結されている。具体的に、連結部材５０は、上側係合爪５７と、下側係合爪５８と、上側係合爪５７及び下側係合爪５８を締結する締結部材としての締結ボルト５５及び締結ナット５６とを有する。
【００６４】
上側係合爪５７は、上側網体４３の網目を通って上側ガード枠４２の内周縁部に係合する上側爪部５７ａと、上側爪部５７ａから後方に張り出す上側張出部５７ｂとを有する。上側張出部５７ｂには、貫通孔５７ｃが形成されている。
【００６５】
下側係合爪５８は、下側網体４７の網目を通って下側ガード枠４６の内周縁部に係合する下側爪部５８ａと、下側爪部５８ａから後方に張り出す下側張出部５８ｂとを有する。下側張出部５８ｂには、貫通孔５８ｃが形成されている。
【００６６】
そして、上側係合爪５７を上側ガード枠４２の内周縁部に係合させるとともに、下側係合爪５８を下側ガード枠４６の内周縁部に係合させた状態で、締結ボルト５５を貫通孔５７ｃ，５８ｃに差し込んで締結ナット５６に締結させることで、上側係合爪５７及び下側係合爪５８が共締めされる。
【００６７】
これにより、上側フロントガード４１と下側フロントガード４５との隙間が開くのを抑えることができる。
【００６８】
《その他の実施形態》
前記実施形態については、以下のような構成としてもよい。
【００６９】
本実施形態では、上側フロントガード４１及び下側フロントガード４５の両方に窪み部４２ｂ，４６ｂを設けた構成について説明したが、何れか一方にのみ設けても構わない。
【００７０】
また、本実施形態では、補強プレート５１の延長部５２を、下側ガード枠４６の側縁部に沿って下方に延ばすようにしたが、この形態に限定するものではない。例えば、延長部５２を上側ガード枠４２の側縁部に沿って上方に延ばすようにしてもよいし、上側ガード枠４２の側縁部及び下側ガード枠４６の側縁部に沿って上下方向に延ばすようにしてもよい。
【産業上の利用可能性】
【００７１】
以上説明したように、本発明は、小旋回型の建設機械であっても、フロントガードの保護面積を十分に確保しつつ手摺りを設けることができるという実用性の高い効果が得られることから、きわめて有用で産業上の利用可能性は高い。
【符号の説明】
【００７２】
１０    建設機械
１１    下部走行体
１２    上部旋回体
３１    前側支柱
３３    取付座
４０    フロントガード
４１    上側フロントガード
４２    上側ガード枠
４２ｂ  窪み部
４３    上側網体
４４    上側フランジ部
４５    下側フロントガード
４６    下側ガード枠
４６ｂ  窪み部
４７    下側網体
４９    下側フランジ部
５０    連結部材
５１    補強プレート（補強部材）
５２    延長部
５５    締結ボルト（締結部材）
５６    締結ナット（締結部材）
５７    上側係合爪
５８    下側係合爪
Ｓ    運転スペース
【図１】
0006292198.tif 000002
【図２】
0006292198.tif 000003
【図３】
0006292198.tif 000004
【図４】
0006292198.tif 000005
【図５】
0006292198.tif 000006
【図６】
0006292198.tif 000007
【図７】
0006292198.tif 000008